(57)【要約】【課題】複数のテレビ受像機において、番組の録画を予約した情報を共有することにより、より簡易に適切に番組を録画できるテレビ受像機を提供すること。【解決手段】録画する番組の予約情報を入力し、当該入力された予約情報を予約情報送受信部を介して他のテレビ受像機に送信する。そして、当該テレビ受像機において、予約情報に基づいて番組の録画が適切に行われたか否かを判定する。適切に行われなかった場合には、予約情報を送信したテレビ受像機のうち、録画が成功したテレビ受像機から録画データを録画データ送受信部より受信する。【選択図】図２
2008227571.tif 000002
【特許請求の範囲】
【請求項１】
放送局から番組を受信する番組受信手段と、前記番組受信手段により受信された番組を録画データとして録画する録画手段とを備え、他のテレビ受像機とネットワークを介して接続されるテレビ受像機において、
前記番組受信手段により受信される番組の予約情報を入力する予約情報入力手段と、
前記予約情報を、ネットワークを介して他のテレビ受像機に送信する予約情報送信手段と、
前記予約情報に基づいて番組の録画がされたか否かを判定する録画判定手段と、
前記録画判定手段により、当該番組の録画がされていないと判定された場合に、前記予約情報送信手段により予約情報を送信したテレビ受像機のうち、録画が成功したテレビ受像機から録画データを受信する録画データ受信手段と、
を備えたことを特徴とするテレビ受像機。
【請求項２】
前記録画データを記録する録画データ記録手段を更に備え、
前記録画判定手段は、前記録画データ記録手段の空き容量が、前記録画データを記録するのに十分な容量が確保出来ない場合には、録画がされないと判定することを特徴とする請求項１に記載のテレビ受像機。
【請求項３】
前記録画判定手段は、前記番組受信手段が番組を受信する際に、所定の受信強度が確保出来ない場合には、録画がされないと判定することを特徴とする請求項１に記載のテレビ受像機。
【発明の詳細な説明】
【技術分野】
【０００１】
本発明は、テレビ受像機に関する。
【背景技術】
【０００２】
従来から、受信したテレビ放送を録画し、当該録画したテレビ放送を再生できるテレビ受像機が知られている。このとき、テレビ受像機が携帯型端末の場合、受信状態が悪化したり、受信中の放送局の放送エリアから外れたりすることにより、必ずしも一定の受信強度でテレビ放送を受信出来るとは限らず、適切に録画出来ない場合があった。
【０００３】
そこで、例えば携帯型のテレビ受像機において、受信状態の悪化を検出した場合に、別途放送データを蓄積したサーバから放送データを取得することにより、適切に録画することが出来なかった番組を再生する発明が知られている（例えば、特許文献１参照）。
【特許文献１】特開２００６−４１５７８号公報
【発明の開示】
【発明が解決しようとする課題】
【０００４】
しかしながら、上述した発明を用いたシステムを構築する場合、別途放送データを蓄積するためのサーバを構築しなければならないといった問題点が生じていた。別途サーバは、ネットワークに接続される複数の端末を管理することとなり、記憶容量が不足したり、動作処理が遅くなったりと多くの問題を抱えていた。したがって、放送データを蓄積するためのサーバを構築する場合には、かなり大がかりなサーバを構築する必要があった。
【０００５】
上述した課題に鑑み、本発明が目的とするところは、複数のテレビ受像機において、番組の録画を予約した情報を共有することにより、より簡易に適切に番組を録画できるテレビ受像機を提供することである。
【課題を解決するための手段】
【０００６】
上述した課題を解決するために、本発明を適用したテレビ受像機は、放送局から番組を受信する番組受信手段と、前記番組受信手段により受信された番組を録画データとして録画する録画手段とを備え、他のテレビ受像機とネットワークを介して接続されるテレビ受像機において、前記番組受信手段により受信される番組の予約情報を入力する予約情報入力手段と、前記予約情報をネットワークを介して他端末に送信する予約情報送信手段と、前記予約情報に基づいて番組の録画がされたか否かを判定する録画判定手段と、前記録画判定手段により、当該番組の録画がされていないと判定された場合に、前記予約情報送信手段により予約情報を送信した端末のうち、録画が成功した端末から録画データを受信する録画データ受信手段と、を備えたことを特徴とする。
【０００７】
また、本発明を適用したテレビ受像機は、前記録画データを記録する録画データ記録手段を更に備え、前記録画判定手段は、前記録画データ記録手段の空き容量が、前記録画データを記録するのに十分な容量が確保出来ない場合には、録画がされないと判定することを特徴とする。
【０００８】
また、本発明を適用したテレビ受像機は、前記録画判定手段は、前記番組受信手段が番組を受信する際に、所定の受信強度が確保出来ない場合には、録画がされないと判定することを特徴とする。
【発明の効果】
【０００９】
以上、説明したように、本発明に記載のテレビ受像機によれば、入力された予約情報を他のテレビ受像機に送信するとともに、当該テレビ受像機は予約情報に基づいて番組の録画がされたか否かを判定する。そして、適切に番組の録画がなされていない場合には、予約情報を送信した他のテレビ受像機のうち、録画が成功したテレビ受像機から録画データを受信することとなる。したがって、テレビ受像機で録画が失敗していた場合でも、他のテレビ受像機で録画が成功している場合には、録画の成功したテレビ受像機から録画データを受信することにより、適切に録画データを取得することができる。
【発明を実施するための最良の形態】
【００１０】
以下、本発明に係るテレビ受像機の最良の実施形態について、図面に基づき詳細に説明する。
【００１１】
図１は、本発明におけるテレビ受像機を利用した場合のシステムについて説明する為の図である。テレビ受像機１は、放送局９から受信された放送波をデコードし、番組を表示・録画することができる。また、テレビ受像機１は、他の複数のテレビ受像機（ここでは、テレビ受像機３や、テレビ受像機５）とお互いにネットワークを介して通信を行うことが可能である。本実施形態においては、テレビ受像機１が番組の録画予約に関する情報である予約情報であったり、番組の録画に成功したか否かを示す情報であったり、録画された番組等を、他のテレビ受像機と通信を行う。なお、本実施形態においては、テレビ受像機１を自端末、自端末以外のテレビ受像機（図１におけるテレビ受像機３又はテレビ受像機５）を他端末という。
【００１２】
図２は、テレビ受像機１の構成を示した図である。テレビ受像機１は、処理部１０と、放送受信部１２と、予約情報送受信部１４と、録画通知送受信部１６と、録画データ送受信部１８と、記憶部２０と、予約管理部３０と、録画データ記録部４０と、操作部５０と、表示装置６０とを備えて構成されている。
【００１３】
放送受信部１２は、指定された番組（チャンネル）の放送波を、放送局９から受信し、番組データにデコードして出力する機能部である。出力された番組データは、録画データ記録部４０に録画データとして記録されたり、表示装置６０に出力されたりすることとなる。
【００１４】
予約情報送受信部１４は、他のテレビ受像機と、後述する予約情報を送受信する為の機能部である。また、録画通知送受信部１６は、予約情報に基づいた番組の予約録画が成功したか、失敗したかを示す録画通知を、他のテレビ受像機と送受信するための機能部である。また、録画データ送受信部１８は、テレビ受像機１が、他のテレビ受像機と録画データを送受信するための機能部である。
【００１５】
ここで、予約情報送受信部１４と、録画通知送受信部１６と、録画データ送受信部１８とは、説明の都合上、別々の構成要素として説明しているが、一つの機能部としても良いことは勿論である。
【００１６】
また、テレビ受像機１が、予約情報送受信部１４、録画通知送受信部１６又は録画データ送受信部１８を介して他のテレビ受像機と通信する場合は、電波や赤外線を利用した無線方式でも良いし、イーサネット（登録商標）や、電話回線等の有線方式を利用して通信を行っても良い。具体的には、Ｂｌｕｅｔｏｏｔｈ（登録商標）や、ＩＥＥＥ８０２．１１等の無線ＬＡＮを介して直接各データを送受信しても良いし、インターネットや、電話網等を介して各データを送受信しても良い。
【００１７】
記憶部２０は、テレビ受像機１が動作するための各種プログラムや、データ等を記憶する機能部である。とくに、本実施形態においては、番組情報２２と、予約情報２４とを記憶している。
【００１８】
番組情報２２は、放送局から送信される番組に関する情報である。ここで、番組情報２２のデータ構成の一例を図３に示す。図３に示すように、番組情報２２は、日付と、ＣＨ（チャンネル）と、開始時刻と、終了時刻と、番組名とを含んだものである。例えば、図３に記載されているように、「２００６年１２月１日」のチャンネル番号「１」の放送局において、「２０：００〜２０：１５」の間に「８時のニュース」が放送されることを示している。
【００１９】
予約情報２４は、テレビ受像機１において録画予約されている番組が記憶されている情報である。録画予約は、ユーザにより操作部５０を介して入力されるものであり、入力された録画予約の情報は、予約情報２４として、記憶部２０に記憶される。そして、予約管理部３０は、当該予約情報２４に基づいて番組を録画し、録画データ記録部４０に記録する。
【００２０】
ここで、予約情報２４のデータ構造の一例を図４に示す。図４に示すように、予約情報２４は、予約した端末（例えば、テレビ受像機「１」）と、予約番組とが対応づけて記憶されている。予約番組に関する情報としては、日付（例えば、「２００６／１２／０１」）と、チャンネルＣＨ（例えば、「８」）と、開始時刻（例えば、「２０：００」）と、終了時刻（例えば、「２０：５５」）と、番組名（例えば、「ドラマ「学校物語」））とを含んでいる。
【００２１】
ここで、予約番組に関する情報は、番組情報２２に記憶された情報を元にユーザが選択することとしても良いし、各情報をユーザが操作部５０を介して入力することとしても良い。
【００２２】
また、当該予約情報２４には、自端末（テレビ受像機１）において予約（入力）された情報だけではなく、他端末（テレビ受像機３等）において予約された情報も併せて記憶されている。
【００２３】
具体的には、予約情報送受信部１４において、他のテレビ受像機において予約された予約情報を受信すると、予約管理部３０は、受信した予約情報を記憶部２０に記憶する。したがって、記憶部２０に記憶されている予約情報２４は、自端末で予約された予約情報と、他端末で予約された予約情報とが記憶部２０に記憶されることとなる。
【００２４】
予約管理部３０は、記憶部２０に記憶されている予約情報２４に基づいて録画予約の各処理を実行する制御部である。ここで、具体的な制御を示すプログラムとして、予約録画プログラム３０２が記憶されている。
【００２５】
なお、説明の都合上、上記プログラムを予約管理部３０が実行することとして説明するが、例えば処理部１０が実行することとしてもよいことは勿論である。
【００２６】
録画データ記録部４０は、受信した番組データを録画データとして記録する機能部である。具体的には、放送受信部１２で受信された番組又は録画データ送受信部１８により受信された番組が録画データ記録部４０に記録される。ここで、録画データ記録部４０は、例えばＨＤＤやコンパクトフラッシュ（登録商標）、ＳＤカード（登録商標）のようなメモリカード等の記憶装置で構成されている。
【００２７】
操作部５０は、ユーザがテレビ受像機１に対し、番組の予約、設定等を含めた各種指示などを行う場合に使用される機能部である。具体的には、テレビ受像機１に備えられた各種操作ボタン、タッチパネル、リモコン装置等により構成されている。
【００２８】
表示装置６０は、各種操作画面や、番組等を表示する為の機能部である。例えば、放送受信部１２により受信された番組波、表示装置６０において表示される。ここで、表示装置６０は、例えばＬＣＤやＰＤＰ等により構成されている。
【００２９】
［処理の流れ］
続いて、テレビ受像機１において実行される予約録画処理について、図５を用いて説明する。予約録画処理は、予約管理部３０が、予約録画プログラム３０２を実行することにより実現される処理である。
【００３０】
まず、操作部５０を介して番組の録画予約が入力された場合は（ステップＳ８０；Ｙｅｓ）、記憶部２０に予約情報２４として記憶し、併せて当該予約情報を他端末に送信する（ステップＳ８２）。
【００３１】
また、予約情報が入力されていない場合（ステップＳ８０；Ｎｏ）、予約情報２４に記憶されている録画予約がされている番組の予約時刻と、現在時刻とを比較する（ステップＳ１００）。ここで、現在時刻が、予約時刻と一致する場合には（ステップＳ１０２；Ｙｅｓ）、ＴＶ放送の受信状態が閾値より悪いか否かを判定する（ステップＳ１０４）。具体的には、例えば受信されるＴＶ放送の信号の利得が、所定の閾値以下の場合は正しくテレビ放送が受信できないと判定する。ここで、ＴＶ放送の受信状態が閾値より悪い場合は（ステップＳ１０４；Ｙｅｓ）、ステップＳ１１８に処理を移行する。
【００３２】
他方、ＴＶ放送の受信状態が閾値以上で、適切に受信できると判定された場合は（ステップＳ１０４；Ｙｅｓ）、次に処理部１０は、録画データ記録部４０に、当該番組を録画できる空き容量があるか否かを判定する（ステップＳ１０６）。ここで、録画データ記録部４０に、当該番組を受信できる空き容量が無いと判定した場合には（ステップＳ１０６；Ｎｏ）、ステップＳ１１８に処理を移行する。
【００３３】
他方、録画データ記録部４０に、当該番組を録画できる空き容量があると判定した場合には（ステップＳ１０６；Ｙｅｓ）、現在の番組情報２２を取得する（ステップＳ１０８）。
【００３４】
ここで、予約情報２４と、番組情報２２とが一致しているか否かを判定する（ステップＳ１１０）。具体的には、予約情報２４に記憶されている予約されている番組に関する情報と、番組情報２２に記憶されている現在放映中の番組に関する情報が一致しているか否かを判定する。そして、予約情報２４と、番組情報２２とが一致していない場合には、ステップＳ１１８に処理を移行する。
【００３５】
他方、予約情報２４と、番組情報２２とが一致すると判定された場合には（ステップＳ１１０；Ｙｅｓ）、現在受信されている番組を録画する処理を実行する（ステップＳ１１２）。そして、録画された番組が、自端末でされた予約された番組である場合には（ステップＳ１１４；Ｙｅｓ）、予約情報２４から、当該番組に関する情報を削除する（ステップＳ１１６）。他方、録画された番組が、自端末で予約された番組ではない場合は（ステップＳ１１４；Ｎｏ）、録画が成功した旨を当該番組の予約情報が送信された端末に送信し（ステップＳ１２２）、予約情報２４から当該番組に関する情報を削除する（ステップＳ１１６）。
【００３６】
他方、ステップＳ１０４において、ＴＶ放送の受信状態が閾値より低いと判定された場合や（ステップＳ１０４；Ｙｅｓ）、録画する空き容量が録画データ記録部４０に無いと判定された場合や（ステップＳ１０６；Ｎｏ）、予約情報の番組と、番組情報との番組とが一致していないと判定された場合には（ステップＳ１１０；Ｎｏ）、当該番組の予約が自端末でされたものかどうかを判定する（ステップＳ１１８）。
【００３７】
ここで、当該予約情報が自端末の予約情報であると判定された場合には（ステップＳ１１８；Ｙｅｓ）、録画の失敗をした旨を、ステップＳ８２において予約情報を送信した端末に通知する（ステップＳ１２０）。そして、当該番組に関する情報を予約情報２４から削除する（ステップＳ１１６）。
【００３８】
［動作例］
つづいて、図６を参照してテレビ受像機の動作について説明する。図６は、自端末と他端末との動作の一例を示した図である。
【００３９】
まず、自端末において録画予約が実行される（ステップＳ２００）。すると、自端末は、他端末に対して予約情報を送信する（ステップＳ２０２）。そして、予約した時刻になると、番組録画処理が実行される（ステップＳ２０４）。ここで、予約した番組の録画が成功したか否かが判定される。番組の録画が成功している場合には（ステップＳ２０６；Ｙｅｓ）、自端末は他の処理を実行する。
【００４０】
他端末も、予約情報を受信すると（ステップＳ３００）、受信した予約情報に基づいて番組を録画する処理を実行する（ステップＳ３０２）。ここで、番組の録画が失敗した場合には（ステップＳ３０４；Ｎｏ）、録画が失敗した通知を自端末に送信する等の他の処理を実行する。
【００４１】
自端末は、予約した番組の録画が失敗した場合には、録画が失敗した通知（録画失敗通知）を、他端末に送信する（ステップＳ２０８）。当該予約された番組の録画が成功しており、録画失敗通知を受信した他端末は、（ステップＳ３０４；Ｙｅｓ→ステップＳ３０６）、録画が成功している通知（録画成功通知）を自端末に送信する（ステップＳ３０８）。
【００４２】
自端末は、録画成功通知を受信すると（ステップＳ２１０）、当該録画番組の送信するように要求する（ステップＳ２１２）。他端末は、録画番組を送信するように要求を受けた場合には（ステップＳ３１０）、自端末に録画番組を送信する（ステップＳ３１２）。そして、自端末は、他端末から録画番組を受信する（ステップＳ３１４）。
【００４３】
したがって、自端末は、自端末で予約した番組の録画を失敗した場合であっても、他端末で録画が成功している場合には、当該番組データを他端末から受信することにより、自端末で予約した番組を視聴することが可能となる。
【００４４】
〔変形例〕
なお、本実施形態においては、携帯型のテレビ受像機について説明したが、本発明が適用できる装置は、携帯型のテレビ受像機に限定されるものではない。例えば、テレビ機能を内蔵した携帯電話装置、カーナビゲーション装置、ＰＤＡ等各種電子機器に適用可能であることは勿論である。
【００４５】
また、本実施形態において、自端末で入力された予約情報を送受信する他端末は、予め登録された端末であっても良い。予約情報を送受信する端末を予め登録しておくことにより、不必要な予約情報が登録されてしまうといったことを防ぐことが出来る。
【００４６】
また、本実施形態においては、番組が適切に録画出来るか否かについての判定を、番組録画前に行っているが、更に録画中に行うこととしても良い。具体的には、図５のステップＳ１１２において、番組録画中に、ＴＶ放送の受信状態が閾値以下になった場合、録画する空き容量が不足した場合、テレビ受像機の位置情報に基づいて、当該ＴＶ放送を送信するテレビ局の放送エリアから外れたと判定された場合等において、録画が失敗したと判定し、ステップＳ１１８に処理を移行することとなる。これにより、番組の放送途中において、録画を失敗したとしても、正しく録画出来た他の端末から録画データを受信することができる。
【００４７】
また、本実施形態においては、自端末から他端末に対して、録画が成功したか通知を受信してから、番組の受信を要求しているが、他端末から番組を受信する方法、タイミングは種々の方法は実施形態の方法に限定されるものではない。
【００４８】
例えば、図７に示すように、自端末から録画失敗通知を他端末に送信する（ステップＳ２５０）。ここで、他端末は、番組の録画に成功している場合には（ステップＳ３５２；Ｙｅｓ）、録画に成功した番組データを自端末に送信する（ステップＳ３５４）。自端末は、他端末から録画番組データを受信することにより（ステップＳ２５２）、自端末では録画に失敗した番組を視聴することが可能となる。
【００４９】
また、上述した実施形態においては、番組の録画が成功したか否かを番組録画処理が終わったと後判断しているが、例えば、録画した番組を再生する際に、当該番組の録画が成功しているか否かを判定することとしても良い。この時点で、録画が失敗したか否かを判定し、他端末から録画データを送信してもらうことにより、その都度録画データの送受信を行う必要がない。
【図面の簡単な説明】
【００５０】
【図１】本発明を適用した場合におけるシステムの概要を示す図。
【図２】本発明を適用した場合におけるテレビ受像機の構成を示す図。
【図３】本実施形態における番組情報のテーブル構成の一例を示した図。
【図４】本実施形態における予約情報のテーブル構成の一例を示した図。
【図５】本実施形態における予約録画プログラムの動作フローを示した図。
【図６】本実施形態における動作例を説明するための図。
【図７】本実施形態における変形例の動作を説明するための図。
【符号の説明】
【００５１】
１、３、５  テレビ受像機
１０  処理部
１２  放送受信部
１４  予約情報送受信部
１６  録画通知送受信部
１８  録画データ送受信部
２０  記憶部
２２  番組情報
２４  予約情報
３０  予約管理部
３０２  予約録画プログラム
４０  画像データ記録部
５０  操作部
６０  表示装置
【図５】
2008227571.tif 000003
【図６】
2008227571.tif 000004
【図７】
2008227571.tif 000005
【図１】
2008227571.tif 000006
【図２】
2008227571.tif 000007
【図３】
2008227571.tif 000008
【図４】
2008227571.tif 000009